(57)【要約】【課題】  高級感を醸し出しことができ、装飾物としての機能を発揮できるばかりでなく、お守りや礼拝の対象としても好適な装身具を提供すること。【解決手段】  装飾主体部１２の内部に遺骨等の収容物１４を収容可能な空間として円孔１３を形成する。その円孔１３を収容物１４が封入されるように光重合硬化型樹脂を用いて閉塞する。【選択図】      図１
2006174938.tif 000002
【特許請求の範囲】
【請求項１】
装飾主体部の内部に遺骨等の収容物を収容可能な空間を形成し、その空間を光重合硬化型樹脂を用いて閉塞したことを特徴とする装身具。
【請求項２】
前記装飾主体部は全体としてほぼ涙滴状をなし、前記空間がその底面から穿設されている請求項１に記載の装身具。
【請求項３】
前記装飾主体部はブリリアントカット状をなし、前記空間がパビリオンの外周面から穿設されている請求項１に記載の装身具。
【請求項４】
前記装飾主体部はブリリアントカット状をなすとともにガードルの部分で２分割され、前記空間が少なくとも一方の分割面に形成されている請求項１に記載の装身具。
【発明の詳細な説明】
【技術分野】
【０００１】
この発明は、装身具に関するものであり、特に装飾主体部の内部に遺骨等を封入状態で収容できるようにした装身具に関するものである。
【背景技術】
【０００２】
この種の装身具として、特許文献１に記載されたものが提案されている。この特許文献１に記載の装身具は、ダイヤモンド等の装飾部に空間を穿設し、その内部に遺骨等を収容して空間を閉塞するために密栓をするようになっている。そして、この装身具がお守りとして利用されたり，あるいは御墓や仏壇の代わりに利用されたりするようになっている。
【特許文献１】登録実用新案第３００９９１４９号公報
【発明の開示】
【発明が解決しようとする課題】
【０００３】
ところが、前記特許文献１の装身具においては、空間内に遺骨等の収容物を収容した後に、シリコーン樹脂や尿素樹脂が注入され、そのシリコーン樹脂が硬化されることにより密栓が形成されるようになっている。従って、閉塞部分の硬度が充分ではなく、触感の面でダイヤモンド等の宝石よりなる装飾部とマッチせず、高級感が低下するおそれが多分にある。しかも、シリコーン樹脂や尿素樹脂は透明度が低いため、シリコーン樹脂が視認されると、視覚上の高級感が大きく損なわれる。また、この特許文献１においては、装飾部と同一材質の黒ダイヤよりなる密栓をその外周の接着剤により固定した構成が開示されているが、接着剤の材質の開示がなく、従って、一般的な材質の接着剤を用いた場合には、前述と同様に触感上、視覚上の高級感が損なわれるおそれがあるという問題があった。
【０００４】
この発明の目的は、前述した問題点を解消して、高級感を醸し出しことができ、このため、装飾物としての機能を発揮できるばかりでなく、お守りや礼拝の対象としても好適な装身具を提供することにある。
【課題を解決するための手段】
【０００５】
以上の目的を達成するために、請求項１に記載の発明においては、装飾主体部の内部に遺骨等の収容物を収容可能な空間を形成し、その空間を光重合硬化型樹脂を用いて閉塞したことを特徴とする。
【０００６】
請求項２に記載の発明においては、請求項１に記載の発明において、前記装飾主体部は全体としてほぼ涙滴状をなし、前記空間がその底面から穿設されているものである。
請求項３に記載の発明においては、請求項１に記載の発明において、前記装飾主体部はブリリアントカット状をなし、前記空間がパビリオンの外周面から穿設されているものである。
【０００７】
請求項４に記載の発明においては、請求項１に記載の発明において、前記装飾主体部はブリリアントカット状をなすとともにガードルの部分で２分割され、前記空間がガードルの部分の少なくとも一方の分割面に形成されているものである。
【０００８】
従って、光重合硬化型樹脂を空間の閉塞に用いるため、充分な硬度を得ることができる。このため、装身具としての触感上の高級感を得ることができる。また、光重合硬化型樹脂は、高い透明度を備えることも、着色することも可能であるため、視覚面で装飾主体部と一体化させることができ高級感を醸し出すことができる。
【０００９】
また、装飾主体部が涙滴状をなす場合はその底面から、装飾主体部がブリリアントカット状をなす場合はそのパビリオンの外周面から空間を穿設すれば、空間は目立つことがなく、高級感を維持できる。
【００１０】
さらに、装飾主体部がブリリアントカット状をなす場合、ガードルの部分で２分割してその分割面に空間を形成すれば、空間及び分割面は目立つことがなく、高級感を維持できる。
【発明の効果】
【００１１】
以上のように、この発明によれば、触感上及び視覚上の高級感を醸し出すことができ、装身具として優れた発明である。
【発明を実施するための最良の形態】
【００１２】
以下、この発明を具体化した各実施形態を以下に説明する。
（第１の実施形態）
まず、第１実施形態を図１（ａ）〜（ｃ）の図面に基づいて説明する。
【００１３】
装身具１１は、ほぼ涙滴状を呈し、表面にカットが施された無色透明のダイヤモンドで形成された装飾主体部１２と、その装飾主体部１２を金具１７を介して保持するための鎖２０とにより構成されている。従って、この第１実施形態の装身具１１はネックレスとして使用される。
【００１４】
装飾主体部１２には、その底面から空間としての円孔１３が穿設されている。円孔１３の内部には遺骨等の収容物１４が収容されている。
円孔１３の内部には、光重合硬化型樹脂よりなる充填材１６が前記収容物１４を封入するように充填されている。この充填材１６を形成する光重合硬化型樹脂は、例えば、モノマーとしてメタクリル酸エステルにフィラーや光重合触媒を加えた組成物が用いられる。
【００１５】
前記のように、構成された装飾主体部１２は、その底面から円孔１３が穿設された後に、その円孔１３内に収容物１４を納め、円孔１３内に光重合硬化型樹脂よりなる充填材１６を充填する。そして、装飾主体部１２の外側から可視光線または紫外線を照射すれば、充填材１６が硬化して、透明な装飾主体部１２と一体化する。その後、充填材１６の外側面を装飾主体部１２と同一平面を構成するように研磨する。
【００１６】
このようにすれば、充填材１６は、装飾主体部１２と同様に透明であるため、外部からはほとんど視認できない。一方、収容物１４は充填材１６内に封入されて、外部から視認できるとともに、外気から遮断される。
【００１７】
そして、遺骨等の収容物１４が収容された装飾主体部１２を鎖２０に取り付ければ、首から下げることができる。従って、このため、肌身離さず故人の遺骨等を身に付けることができ、お守り等として使用することができる。また、装飾主体部１２の中に収容物１４として遺骨や遺髪が入っている場合には、高価な御墓や仏壇等を購入せず、仏壇や御墓の代わりとして装身具１１に対して供養を行ったりすることができる。しかも、収容物１４を外部から視認できるため、収容物１４の存在を確認でき、加えて、その収容物１４が光重合硬化型樹脂に封入されて外気から遮断されているため、収容物１４が遺髪のような有機物であっても、変質を抑えることができ、きわめて長期間にわたって封入時の状態を維持できる。
【００１８】
この第１実施形態における効果を列挙すれば以下の通りである。
・  装飾主体部１２の内部に遺骨等の収容物１４を収容可能な空間を形成し、その空間を光重合硬化型樹脂よりなる充填材１６を用いて充填閉塞したことにより、前述した従来のシリコーン樹脂や尿素樹脂とは異なり、充分な硬度を得ることができる。このため、装身具としての触覚上の高級感を得ることができる。
【００１９】
・  光重合硬化型樹脂は、前述した従来のシリコーン樹脂や尿素樹脂とは異なり、高い透明度を備えることが可能であるため、視覚面で装飾主体部１２と一体化させることができ、高級感を醸し出すことができる。
【００２０】
・  装飾主体部１２は全体としてほぼ涙滴状をなし、前記空間を構成する円孔１３がその底面から穿設されているため、充填材１６の充填部や円孔１３の開口部が見えにくく、外観向上に好ましい。
【００２１】
・  収容物１４が充填材１６内に封入されるため、外気や湿気から遮断され、その収容物１４が有機物であっても、変質を抑えることができ、装身具１１を長期間にわたって使用できる。
【００２２】
・  充填材１６が装飾主体部１２と視覚上一体化するため、円孔１３の内周面を仕上げしなくても、その内周面と充填材１６との境界をほとんど視認できず、高級感の向上に寄与できるとともに、加工が容易になる。
【００２３】
（第２実施形態）
次に、この発明の第２実施形態を説明する。なお、この第２実施形態以降の説明においては、第１実施形態との相違点を中心に説明する。
【００２４】
この第２実施形態においては、図２に示すように、円孔１３内に収容物１４が収容されるとともに、充填材１６により封入されている。これに加えて、円孔１３の開口部には透明な人工ダイヤ，キュービックジルコニアあるいはガラス等の透明材よりなる密栓１５が嵌合固定されている。この密栓１５の外周面と円孔１３の内周面との間には、充填材１６と同材質の光重合硬化型樹脂よりなる透明な接着剤１８が介在されて、密栓１５が密封状態で固定されている。
【００２５】
従って、円孔１３内に遺骨等の収容物１４を納め、その収容物１４を充填材１６により封入するとともに、密栓１５の外周面に接着剤１８を塗布した後、その密栓１５を円孔１３の開口部に嵌合する。そして、装飾主体部１２の外側から可視光線または紫外線を照射すれば、光重合硬化型樹脂よりなる充填材１６及び接着剤１８が硬化して、透明な装飾主体部１２と密栓１５と一体化する。しかも、接着剤１８は、装飾主体部１２及び密栓１５と同様に透明であるため、外部からは充填材１６及び密栓１５はもとより、接着剤１８もほとんど視認できない。
【００２６】
従って、この第２実施形態では、前記第１実施形態の効果に加えて、以下の効果がある。
・  密栓１５の接着固定に光重合硬化型樹脂を用いるため、密栓１５の接着強度として高い結合力に基づく充分な強度を得ることができ、密栓１５の離脱等の不都合を防止できる。
【００２７】
・  充填材１６及び接着剤１８が装飾主体部１２と視覚上一体化するため、円孔１３の内周面を仕上げしなくても、その内周面と充填材１６及び接着剤１８との境界をほとんど視認できず、高級感の向上に寄与できるとともに、加工が容易になる。
【００２８】
（第３実施形態）
次に、この発明の第３実施形態を説明する。
この第３実施形態では、図３に示すように、円孔１３の内周面に金箔が貼着され、金属膜部１９が形成されている。そして、第１実施形態と同様に、円孔１３内には光重合硬化型樹脂よりなる充填材１６が充填されている。なお、この第２実施形態においては、例えば、円孔１３の内奥部を開口側よりやや広くして、硬化後の充填材１６の抜け防止を図るとよい。
【００２９】
従って、この第３実施形態では、以下の効果がある。
・  円孔１３に収容されている収容物１４が金属膜部１９により包囲されているため、装飾主体部１２の底面側から覗いた場合以外は、装飾主体部１２の外から収容物１４を視認することができない。このため、遺骨等の収容物１４が視認されるのを忌避したい所有者には好適である。
【００３０】
・  金属膜部１９により透明のダイヤモンドの一部に金色の輝きが加えられ、装飾効果が増す。
（第４実施形態）
次に、この発明の第４実施形態に基づいて説明する。
【００３１】
この第４実施形態においては、図４に示すように、装飾主体部１２の円孔１３が、断面凸状をなしている。そして、密栓１５は、装飾主体部１２と同素材が円孔１３に挿入可能な大きさの球状に形成されているものである。そして、円孔１３に収容物１４を収容した後、その収容物１４を封入するように充填材１６を充填するとともに、密栓１５を接着剤１８により円孔１３の閉鎖状態で固定する。
【００３２】
従って、この第４実施形態においては、以下の効果がある。
・  密栓１５が球状に形成されているため、方向性がなく、従って、円孔１３内に入れやすく、製造しやすい。また、密栓１５そのものも製造しやすい。
【００３３】
（第５実施形態）
次に、この発明の第５実施形態について説明する。
この第５実施形態は、図５（ａ）〜（ｃ）に示すように、装飾主体部１２を、クラウン２１，ガードル２２，パビリオン２３を有するようにラウンドブリリアンカットにしたものである。従って、装飾主体部１２を指輪等の台座（図示しない）に固定する場合に都合がよい。
【００３４】
前記装飾主体部１２のパビリオン２３には、その外周面から装飾主体部１２の軸と直交する方向に向かって、パビリオン２３の中心部まで円孔１３が穿設されている。円孔１３内には収容物１４が収容されて、充填材１６により封入されている。そして、密栓１５が円孔１３内に嵌合されて、接着剤１８により固定されている。充填材１６及び接着剤１８は前記各実施形態と同材質である。密栓１５の外端面は、パビリオン２３の外周面と同一平面を構成している。
【００３５】
従って、この第５実施形態においては、装飾主体部１２の形状がブリリアントカット状に変更されたことにより、指輪等の台座に装着するのに適し、かつ、各実施形態と同様な効果を発揮する。
【００３６】
（第６実施形態）
次に、この発明の第６実施形態について説明する。
この第６実施形態は、図６に示すように、円孔１３がパビリオン２３の外周面から軸方向に穿設されたもので、他の構成は前記第５実施形態と同様で、従って、効果も同様である。
【００３７】
（第７実施形態）
次に、この発明の第７実施形態について説明する。
この第７実施形態は、図７に示すように、円孔１３がパビリオン２３の中心部、すなわち軸部における外周面から軸方向に穿設されたもので、他の構成は前記第５実施形態と同様で、従って、効果も同様である。
【００３８】
（第８実施形態）
次に、この発明の第８実施形態について説明する。
この第８実施形態は、図８（ａ）（ｂ）に示すように、装飾主体部１２をガードル２２の部分で軸と直交する方向に２分割して、それらの分割面２４の少なくとも一方に空間としての凹部２５を形成している。この凹部２５に収容物１４が収容され、前記各実施形態と同材質の充填材２７により封入されている。そして、前記両分割面２４は、充填材２７と同材質の接着剤２６により接着されて、装飾主体部１２は全体としてブリリアンカット形状をなしている。
【００３９】
従って、この第８実施形態においては、以下の効果がある。
・  ガードル２２の存在を有効に利用して装飾主体部１２を２分割し、収容物１４を装飾主体部１２の中心部に納めることができ、装飾主体部１２としてのまとまりがよい。
【００４０】
・  ガードル２２の存在を利用して装飾主体部１２を２分割し、その分割面２４に凹部２５を形成している。このため、パーティングライン及び凹部２５をきわめて視認しにくく、高級感を維持できる。
【００４１】
（第９実施形態）
次に、この発明の第９実施形態を説明する。
この第９実施形態においては、図９に示すように、凹部２５に対する充填材２７の充填と、分割面２４間の接着剤２６による接着とを同時に行ったものである。従って、効果は前記第８実施形態と同様である。
【００４２】
（第１０実施形態）
次に、この発明の第１０実施形態について説明する。
この第１０実施形態においては、図１０（ａ）〜（ｃ）に示すように、装飾主体部１２としてエメラルドカットしたものを用いている。そして、円孔１３をパビリオン２３の底面中央に軸方向に沿って延びるように形成している。従って、この第１０実施形態は、前記図７に示した第７実施形態と類似した構成であり、このため、この第１０実施形態は第７実施形態と同様な効果を有する。
【００４３】
（第１１実施形態）
次に、この発明の第１１実施形態について説明する。
この第１１実施形態においては、図１１に示すように、装飾主体部１２をパビリオン２３の部分において軸と直交する方向に切断分離し、それらの分割面２８の少なくとも一方に収容部としての凹部２５を形成している。この凹部２５に収容物１４が収容され、前記各実施形態と同材質の充填材２７により封入されている。そして、前記両分割面２４は、充填材２７と同材質の接着剤２６により接着されている。
【００４４】
この第１１実施形態の効果は、第５実施形態以降の実施形態とほぼ同様である。
（変形例）
なお、この発明は、前記各実施形態に限定されるものではなく、以下のように具体化することも可能である。
【００４５】
・  前記各実施形態では、装飾主体部１２としてダイヤモンドを用いたが、ダイヤモンド以外のもの、例えば、エメラルド、ルビー、サファイヤ、翡翠等の他の宝石、あるいは貴金属、さらには人工ダイヤ、人工ルビー，人工エメラルド，ガラス等を用いること。要するに、装飾物として用いられるものは、全てこの発明の装飾主体部に適用可能である。
【００４６】
・  収容物として、遺骨や遺髪の他、故人あるいは恋人等の他人の洋服や持ち物の一部，他人の毛髪等の身体の一部，思い出の場所の土や砂等，石や他の宝石等の思い出の物等、空間に収容可能で、所有者にとって意義のある各種ものを任意に収容すること。
【００４７】
・  第３実施形態において、円孔１３の内周面に金箔よりなる金属膜部１９を設けたが、金箔の代わりに、プラチナ箔等の他の金属箔あるいは、雲母等の鉱物箔を設けること。
・  円孔１３等の空間を前記各実施形態以外のところ、例えば第１実施形態において、装飾主体部１２の後部側の側面に設けること。
【００４８】
・  第２，第４実施形態等に用いる密栓１５として、前記実施形態の記載のもの以外のもの、例えば、ルビー，エメラルド等の宝石、金やプラチナ等の貴金属等を用いること。
・  装身具１１として、ネックレスや指輪以外のもの、例えばイヤリング、ブレスレッド等の装飾品に具体化すること。あるいは、数珠，キーホルダ，ベルトバックル，カフスボタン等の実用品に具体化すること。従って、この発明において、装身具とは、装飾主体の装飾品のみならず、装飾機能を有する実用品，あるいは、装飾機能を有しない実用品等も含むものである。
【００４９】
・  光重合硬化型樹脂として、前記各実施形態に記載のもの以外の材質、例えば、ウレタン系テトラメタクリレート等のモノマー，フィラー，光重合触媒を含む組成物等を用いること。
【００５０】
・  装飾主体部１２としての宝石が透明ではなく、青や赤等の色を帯びたものである場合には、その色と同色になるように、充填材１６や接着剤１８，２６等を構成する光重合硬化型樹脂に着色を施すこと。
【００５１】
・  前記第２，第４，第５〜第７，第１１の各実施形態において、密栓１５を用いることなく充填材１６のみにより、円孔１３を閉鎖すること。
・  前記第１，第３実施形態において、円孔１３を充填材１６により閉鎖するのに代えて、密栓１５により閉鎖すること。
【００５２】
・  空間としての円孔１３を楕円孔，角孔等の他の形状に変更すること。
・  前記第８，第９，第１１実施形態において、凹部２５を他方の分割面２４または双方の分割面２４に設けること。
【００５３】
・  宝石よりなる装飾主体部１２として、前記以外のカット構造、例えばペアシェープドブリリアントカット、ハートシェープドブリリアントカットを採用すること。
（他の技術的思想）
前記各実施形態から把握される請求項に記載の技術的思想以外の技術的思想は以下の通りである。
【００５４】
（１）  装飾主体部の空間に光重合硬化型樹脂を充填して、収容物を封入するとともに、空間を閉鎖した請求項１〜４のうちのいずれか一項に記載の装身具。
（２）  装飾主体部の空間に光重合硬化型樹脂を充填して、収容物を封入するとともに、空間を密栓により閉鎖した請求項１〜４のうちのいずれか一項に記載の装身具。
【００５５】
（３）  密栓を光重合硬化型樹脂よりなる接着剤を用いて固定した前記技術的思想（２）項に記載の装身具。
【図面の簡単な説明】
【００５６】
【図１】（ａ）〜（ｃ）は、第１実施形態を示すそれぞれ装身具の一部正面図，装飾主体部の断面図，同じく底面図。
【図２】第２実施形態を示す断面図。
【図３】第３実施形態を示す断面図。
【図４】第４実施形態を示す断面図。
【図５】（ａ）〜（ｃ）は、第５実施形態を示すそれぞれ正面図，平面図，断面図。
【図６】第６実施形態を示す断面図。
【図７】第７実施形態を示す断面図。
【図８】（ａ）（ｂ）は、第８実施形態を示すそれぞれ装飾主体部のみの分解断面図、断面図。
【図９】第９実施形態を示す断面図。
【図１０】（ａ）〜（ｃ）は、第１０実施形態を示すそれぞれ平面図，正面図，断面図。
【図１１】第１１実施形態を示す断面図。
【符号の説明】
【００５７】
１１…装身具、１２…装飾主体部、１３…空間としての円孔、１４…収容部、１５…密栓、１６…光重合硬化型樹脂を用いた充填材、１８…光重合硬化型樹脂を用いた接着剤、２２…ガードル、２３…パビリオン、２４…分割面、２５…空間としての凹部、２６…光重合硬化型樹脂を用いた接着剤、２７…光重合硬化型樹脂を用いた充填材、２８…分割面。
【図１】
2006174938.tif 000003
【図２】
2006174938.tif 000004
【図３】
2006174938.tif 000005
【図４】
2006174938.tif 000006
【図５】
2006174938.tif 000007
【図６】
2006174938.tif 000008
【図７】
2006174938.tif 000009
【図８】
2006174938.tif 000010
【図９】
2006174938.tif 000011
【図１０】
2006174938.tif 000012
【図１１】
2006174938.tif 000013